(57)【要約】【課題】転写ヘッドが転写対象物に対してスライドする方向を案内するガイドを備えると共に左右どちらの手で操作しても同じ操作感で使用可能な転写具を提供することを課題とする。【解決手段】ケース本体３の前方にケース本体３に収容した転写テープを折り返す転写ヘッドを設け、ケース本体３の両側面に係止孔７ｂを設け、ガイド部を有するガイド体８をケース本体３の一方の側面の係止孔７ｂと係止させる。【選択図】図３
2016107430.tif 000002
【特許請求の範囲】
【請求項１】
ケース本体の前方に該ケース本体に収容した転写テープを折り返す転写ヘッドを設け、前記転写ヘッドを介して前記転写テープの基材上の転写物を転写対象物の被転写面へ転写する転写具であって、前記ケース本体の両側面に係止部を設け、前記ケース本体の係止部に前記転写対象物の端部および裏面と接するガイド部を有したガイド体を着脱可能に係止したことを特徴とする転写具。
【請求項２】
前記ケース本体の両側面にレール部を設け、前記レール部に前記係止部を形成した移動駒を摺動可能に配設し、前記ガイド体に前記移動駒の係止部と係止する係止受部を形成すると共に、前記移動駒の係止部を前記ガイド体の係止受部に回動可能に係止させたことを特徴とする前記１項に記載の転写具。
【請求項３】
前記ガイド体のガイド部が、前記ケース本体の側面に添って平行に延び前記転写対象物の端部に接する縦軸部と、前記縦軸部の端部に立設した前記転写対象物の裏面に接する横軸部とを有したことを特徴とする前記１項または２項に記載の転写具。
【発明の詳細な説明】
【技術分野】
【０００１】
本発明は、転写テープの基材に塗着した糊等の粘着剤、修正剤や着色剤等の転写物を紙等の転写対象物に転写するための転写具に関する。
【背景技術】
【０００２】
従来より、転写テープの基材に塗着した糊等の粘着剤、修正剤や着色剤等の転写物を紙等の転写対象物に転写するための転写ヘッドを外方に突出させて備えたケース本体内に配設し、転写ヘッドにより転写テープを転写対象物に押し当てた状態で転写具又は転写対象物をスライドさせることで、転写テープが順次繰出されて転写物を転写対象物へ転写する転写具が知られている。
【０００３】
これらの転写具は、転写ヘッドが常に転写対象物に押圧された状態を保つよう転写具を支えながらスライドさせる必要があり、スライド時に転写ヘッドの動きが不安定になり易く、例えば封筒等の端部に沿って粘着剤等を塗布する際に、ずれないよう一直線に転写することが困難であった。
【０００４】
この問題を解消するために、転写動作時に転写対象物の端部に当接し、端部に沿って転写ヘッドを案内しうるヘッド部案内用のガイドを設けるという技術が特許文献１や特許文献２に開示されている。
【０００５】
しかしながら、特許文献１及び特許文献２に記載された転写具では転写対象物を当接させるガイドの位置や向きを転写ヘッドがスライドする方向に対して一側面側に固定しているため、右手で転写具を保持して転写動作を行った場合と、左手で保持して行った場合では転写対象物の置き方やガイドを当接させる位置を変える必要があり扱い方が異なるものであった。
【先行技術文献】
【特許文献】
【０００６】
【特許文献１】特開２００８−１０５１９４号公報
【特許文献２】特許４３５２９８４号
【発明の概要】
【発明が解決しようとする課題】
【０００７】
本発明は、前記問題を鑑みて、転写対象物に対して転写ヘッドを押圧しつつスライドする方向を案内するガイドを設けると共に利き手に左右されずに使用可能な転写具を提供することを課題とする。
【課題を解決するための手段】
【０００８】
本発明は、
「１．ケース本体の前方に該ケース本体に収容した転写テープを折り返す転写ヘッドを設け、前記転写ヘッドを介して前記転写テープの基材上の転写物を転写対象物の被転写面へ転写する転写具であって、前記ケース本体の両側面に係止部を設け、前記ケース本体の係止部に前記転写対象物の端部および裏面と接するガイド部を有したガイド体を着脱可能に係止したことを特徴とする転写具。
２．前記ケース本体の両側面にレール部を設け、前記レール部に前記係止部を形成した移動駒を摺動可能に配設し、前記ガイド体に前記移動駒の係止部と係止する係止受部を形成すると共に、前記移動駒の係止部を前記ガイド体の係止受部に回動可能に係止させたことを特徴とする前記１項に記載の転写具。
３．前記ガイド体のガイド部が、前記ケース本体の側面に添って平行に延び前記転写対象物の端部に接する縦軸部と、前記縦軸部の端部に立設した前記転写対象物の裏面に接する横軸部とを有したことを特徴とする前記１項または２項に記載の転写具。」である。
【０００９】
本発明の転写具では、ケース本体の側面にガイド部を有するガイド体を設け、転写ヘッドにより転写テープを被転写面に押圧した状態で前記ケース本体または転写対象物を転写対象物の端部および裏面にガイド部を当接させながらスライドさせることで、転写対象物の端部に沿って真直ぐに転写テープの転写物を転写することができる。また、ケース本体の両側面に設けた係止部にガイド体を着脱可能に係止することで、転写対象物の向きやスライドさせる方向に合わせてガイド体をケース本体の任意の側面側に付け替えることができるため、転写具を保持する手が右手でも左手でも同様に転写動作を行うことが可能となる。
【００１０】
また、ケース本体の両側面にレール部を形成し、レール部と摺動する移動駒を配設し、移動駒に係止部を形成してガイド体の係止受部と回動可能に係止することで、ガイド体をケース本体の底面に対して任意の高さで突出させることができ、更にガイド体を移動駒に対して回動可能に係止しているため、転写動作時に転写ヘッドを転写対象物へ押圧する角度を任意に設定しても、その角度に合わせてガイドの位置や向きを調整することができる。
更に、転写動作時にガイドが不要な場合は、転写具の上方または下方側にガイド部の横軸部を近接するよう回動することで転写動作を妨げることを防止できる。
また、ケース本体の係止部とガイド体の係止受部の形状は、係止部を凸状に形成し、係止受部を凹状に形成して係止してもよく、係止部を凹状に形成し、係止受部を凸状に形成して係止してもよい。
【００１１】
更に、ガイド体のガイド部が、ケース本体の側面と平行に延びる縦軸部と縦軸部の端部から立設してケース本体側に延びる横軸部とを有し、転写動作時に縦軸部を転写対象部の端部に当接させ、さらに転写対象物の裏面に横軸部を差し込むこむことで、転写具をスライドする際にガイド部から転写対象物が外れることを防止できる。
また、転写具を保管もしくはカバンなどに入れて携帯する時には、ガイド体の横軸部が転写ヘッドと隣接した状態にすることで、転写ヘッドを保護することが可能となる。
【発明の効果】
【００１２】
本発明では、転写ヘッドが転写対象物に対してスライドする方向を案内するガイドを有し、ガイドをケース本体の両側面に対して着脱可能に構成することで利き手に左右されずに使用可能な転写具を提供することができた。
【図面の簡単な説明】
【００１３】
【図１】本実施例の転写具を示した縦断面図である。
【図２】本実施例の転写具におけるガイド体を回動し、転写動作を行っている状態を示す縦断面図である。
【図３】本実施例の転写具を示した側面図である。
【図４】図３におけるＡ−Ａ断面を示す断面図である。
【図５】本実施例の転写具において、転写動作を行っている状態を示す図である。図５（Ａ）は側面図であり、図５（Ｂ）は底面図である。
【図６】本実施例の転写具において、ガイド体をケース本体の一方の側面から他方の側面に付け替える状態を示す底面図である。図６（Ａ）はガイド体を一方の側面に装着した図であり、図６（Ｂ）はガイド体を他方の側面に装着した図である。
【図７】本実施例のガイド体の横軸部をケース本体の上方に移動させた状態を示す側面図である。
【発明を実施するための形態】
【実施例】
【００１４】
本実施例の転写具１は、いわゆる「テープのり」の形態であり、転写具の底面方向を下方とし、その反対方向を上方と表現する。また、の転写ヘッドのある側を前方と表現し、その反対側を後方と表現する。また、転写具の厚み方向を幅方向と表現する。
【００１５】
図１に示すように転写具１は従来の「テープのり」と同様に、転写ヘッド２を外方へ突出させて形成したケース本体３内に、テープ状の基材４ａに転写物（糊）４ｂを塗着した転写テープ４を巻き付けた供給リール５と、転写テープ４を巻き取る巻き取りリール６とを回転可能に配設した構造のものであり、転写テープ４を転写ヘッド２によって折り返してある。また図２に示すように、転写ヘッド２により転写テープ４を転写対象物１００に押し当てた状態で転写具１または転写対象物１００を転写方向へスライドさせることで、転写テープ４が供給リール５により順次繰り出され、転写テープ４に塗着した転写物（糊）４ｂを転写対象物１００へ転写する。転写し終わった転写テープ４の基材４ａは、巻き取りリール６により巻き取られる。
【００１６】
次に、図２〜図５を用いて、転写具１に形成する転写ヘッド２を案内する手段についての構成を説明する。図３に示すように、ケース本体３の両側面に前端部から後方に延びる凹状のレール部３ａを設け、両側面のレール部３ａに摺接する２つの移動駒７を設けてある。また、図４のように、レール部３ａにはレール方向に沿って延びる段部３ｂを設け、段部３ｂを移動駒７に設けた係止段７ａと係止し、レール部３ａに対して移動駒７を前後方向に摺動可能に係止してある。更に、転写ヘッド２の後端部２ａによりレール部３ａの端部を塞ぎ、移動駒７がレール部３ａから抜けないようにしてある。また、ケース本体３の両側面に係止した２つの移動駒７は各々が単独で摺動し、移動駒７には中心部に円形の係止孔７ｂを形成してある。
【００１７】
更に、ケース本体３の一方の側面３ｃ側にケース本体３の側面に沿って平行に延びる板状のガイド体８を設け、ガイド体８のケース本体側に円柱状の係止凸部８ａを形成し、係止凸部８ａを移動駒７の係止孔７ｂに挿入し回動可能且つ着脱可能に係止してある。また、ガイド体８にガイド部としてケース本体３の側面に沿って平行に延びる縦軸部８ｂと縦軸部８ｂの端部から垂直方向に延びる横軸部８ｃとを形成してある。
尚、移動駒７はゴムやエラストマーなどの弾性体で形成することで、移動駒７とレール部３ａとの摺動及び係止孔３ｂと係止凸部８ａとの回動時に適度な抵抗を持たせてあり、転写を行う際にガイド体が不用意に動かないようにしてある。
更にガイド体８は図２のように、係止凸部８ａの中心を通る軸線Ｂ（一点鎖線部）に対して左右対称に形成してある
【００１８】
次に、図３及び図５から図７を用いて、本実施例の転写具１を用いて転写対象物１００に転写動作を行う状態を説明する。
【００１９】
本実施例の転写具１は、図３の状態からガイド体８をケース本体３に対して回動且つスライドさせて、図５のように作業台２００と紙製の転写対象物１００との間にガイド体８の横軸部８ｃを差し込み、転写対象物１００の端部とガイド体８の縦軸部８ｂとを当接させる。更に転写対象物１００の被転写面１００ｂに転写ヘッド２を押圧し、転写具１を図５の矢印方向に縦軸部８ｂと転写対象物１００の端部１００ａとを当接させたままスライドすることで、転写物（糊）４ｂが転写対象物１００の端部１００ａに沿って被転写面１００ｂに塗着される。
【００２０】
また、図６に示すように、図６（Ａ）のケース本体３の一方の側面３ｃに装着されたガイド体８を取り外し、図６（Ｂ）のガイド体８の係止凸部８ａのケース本体の他方の側面３ｄ側の移動駒７の係止孔７ｂに装着することで、転写具１を保持する手を例えば右手から左手に替えても同じ動作で転写を実施することが可能となり、利き手に影響されずに転写具１を使用することができる。また、前述したようにガイド体８は係止凸部８ａを通る中心軸に対して左右対称に形成されているため、ガイド体をケース本体３一方の側面３ｃから他方の側面３ｄに付け替えても全く同じ使い方で使用できる。
【００２１】
更に、ガイド体８を使用せずに転写を行う場合には図７のようにガイド体８をケース本体３の上方に回動させて転写動作を行うことで、ガイド体８が邪魔になり転写動作を妨げることを防止できる。
【００２２】
次に転写動作を終了し、転写具１を机などに保管またはカバンなどに入れて携帯する際には、ガイド体８を図３の状態に戻し、ガイド体８の横軸部８ｃを転写ヘッド２に隣接させる位置まで移動し、転写ヘッド２をガイド体の縦軸部８ｂと横軸部８ｃとで覆うことで、転写ヘッド２を保護し、他の荷物などに接触して転写物（糊）が塗着されるのを防ぐことができる。
【産業上の利用可能性】
【００２３】
本発明による転写具の構造は、糊などを塗着させるテープのりほか、間違った部分などを上塗りするための被膜を塗着させる修正テープなどに使用することができる。
【符号の説明】
【００２４】
１…転写具、
２…転写ヘッド、２ａ…後端部、
３…ケース本体、３ａ…レール部、３ｂ…段部、３ｃ…一方の側面、３ｄ…他方の側面、
４…転写テープ、４ａ…基材、４ｂ…転写物、
５…供給リール、
６…巻取リール、
７…移動駒、７ａ…係止段、７ｂ…係止孔、
８…ガイド体、８ａ…係止凸部、８ｂ…縦軸部、８ｃ…横軸部、
１００…転写対象物、１００ａ…端部、１００ｂ…被転写面。
【図１】
2016107430.tif 000003
【図２】
2016107430.tif 000004
【図３】
2016107430.tif 000005
【図４】
2016107430.tif 000006
【図５】
2016107430.tif 000007
【図６】
2016107430.tif 000008
【図７】
2016107430.tif 000009